(57)【要約】【課題】室内の一角を容易に種々の形態の喫煙空間に変え、紫煙を喫煙空間内から流出させず、清浄化して室内に戻し循環させ、喫煙空間内で煙を直ちに吸引して、他の喫煙者に紫煙が及ばない喫煙所簡易創設用分煙機を提供する。【解決手段】偏平な箱体２の広側面２ａに吸引口３を設けると共に立ちテーブル板用支持部４及び座りテーブル板用支持部５を設け、これにて座りテーブル６を支持し、広側面２ｂの両側にパネル板７を設けその間に排気口８を設けて、偏平な箱体２の両狭側面２ｃ及び上面２ｄに、室内Ａを吸引口側空間９と排気口側空間１０とに区分するエアーカーテン１１を形成する吹出口１２を設け、偏平な箱体２内に送風機１３及び空気清浄機１４を吸引口３と排気口８及び吹出口１２との間に設けて、排気口８からの清浄化エアー排気量を吸引口側空間９外からの外部巻込エアー量Ｑよりも大に設定し、吸引口側空間９内を負圧状態にし喫煙所１５として、排気口側空間１０を非喫煙空間１６とし、上記課題を達成する。【選択図】    図２
2004211975.tif 000002
【特許請求の範囲】
【請求項１】
偏平な箱体の一方の広側面に吸引口を設けると共に立ちテーブル板用支持部及び座りテーブル板用支持部を設け、他方の広側面の両側にパネル板を設けると共に両パネル板の間に排気口を設けて、前記偏平な箱体の両狭側面及び上面に、室内を吸引口側空間と排気口側空間とに区分けするエアーカーテンを形成する吹出口を設け、前記偏平な箱体内に送風機及び空気清浄機を前記吸引口と前記排気口及び前記吹出口との間に位置させて設けてなり、前記排気口からの清浄化エアー排気量を少なくとも前記吸引口側空間外からの外部巻込エアー量よりも大に設定し、前記吸引口側空間内を負圧状態にすると共に喫煙所としたことを特徴とする喫煙所簡易創設用分煙機。
【請求項２】
前記偏平な箱体の立ちテーブル板用支持部及び座りテーブル板用支持部に立ちテーブル及び座りテーブルを選択的に設けて、立ちテーブル設置の喫煙所及び座りテーブル設置の喫煙所のいずれにもできるようにしたことを特徴とする請求項１記載の喫煙所簡易創設用分煙機。
【請求項３】
前記パネル板は前記偏平な箱体から取り外し自在であることを特徴とする請求項１又は２記載の喫煙所簡易創設用分煙機。
【請求項４】
前記パネル板は少なくともその一部が透明であることを特徴とする請求項１、２又は３記載の喫煙所簡易創設用分煙機。
【請求項５】
前記送風機及び前記空気清浄機の下流側の前記偏平な箱体内に空気分配室を設け、該空気分配室に前記排気口及び前記吹出口を位置させて、前記空気分配室からの清浄化エアーの分配は予め定めた前記排気口及び前記吹出口の開口面積比にて行うことを特徴とする請求項１、２、３又は４記載の喫煙所簡易創設用分煙機。
【請求項６】
前記偏平な箱体の上面の前記吹出口に、エアーカーテンのリード板を設けたことを特徴とする請求項１、２、３、４又は５記載の喫煙所簡易創設用分煙機。
【請求項７】
前記リード板は少なくともその一部が透明であることを特徴とする請求項６記載の喫煙所簡易創設用分煙機。
【発明の詳細な説明】
【０００１】
【発明の属する技術分野】
本発明は、建築物、航空機、車両、船舶等の室内の一角をエアーカーテンにより自由自在に仕切り、その一角を喫煙所にして紫煙を喫煙所外に直接出さないようにし、かつ喫煙所内では紫煙を直ちに吸引して、他の喫煙者に紫煙がかからないようにした喫煙所簡易創設用分煙機に関する。
【０００２】
【従来の技術】
従来、室内の一角を仕切ってその場所を喫煙コーナーや喫茶室にする方法として、つい立てを使用する場合が多い。このつい立てはあくまで間仕切りが目的であるから、上部空間からエアーが流出入するから内部あるいは外部の汚染されたエアー（煙草の紫煙、粉塵）が流出入する弊害が生じる。
【０００３】
そこで、この弊害を防止するため、図１４に示すようなエアーカーテン発生装置を内蔵したつい立てがある。このつい立てａは、送風機ｂを内蔵し上部にエアーカーテンを形成する吹出口ｃを設置し、更に側面に吸引口ｄを設置してなる。このつい立てａにて吸引口ｄを内側にして室内の一角を囲う。更に、このつい立てａの設置場所上方の天井ｅに吸引ファンｆを設置している。送風機ｂを作動させて吹出口ｃからエアーを吹き出しエアーカーテンｇを形成して、床ｈ、天井ｅ、つい立てａ等と相まって喫煙空間ｉをつくり、この喫煙空間ｉ内のエアーを天井ｅの吸引ファンｆにて外部に排出して喫煙空間ｉ内を負圧にして、室内の他の空間に汚染エアーを流出しないようにしている。
【０００４】
また、図１５に示すような喫煙ユニット（実開平７−３５９２７号公報参照）がある。この喫煙ユニットａ１は、天井部ｊの周囲に吹出口ｃがあり天井部ｊの中央部に吸引口ｄがあって、吹出口ｃからのエアーカーテンｇにより床ｈ、天井部ｊと相まって喫煙空間ｉをつくり、この喫煙空間ｉ内のエアーを天井部ｊの吸引口ｄにて吸引排出して喫煙空間ｉ内を一時的に負圧にして、室内の他の空間に紫煙や悪臭を流出しないようにし、天井部ｊ内にある空気清浄機により清浄化エアーとして再び吹出口ｃから吹き出し、循環させているものである。
【０００５】
また、図１６に示すような気流制御型分煙機ａ２は、箱体ｌの側部にパネルｍを取り付け、パネルｍにこれと共に室内を区分けするためのエアーカーテンｇを形成する吹出口ｃを設け、箱体ｌにエアーカーテンｇにより区分けした一方の空間に位置させた吸引口ｄを設けて、他方の空間に位置させた排気口ｎをパネルｍに設け、箱体ｌ内に送風機及び空気清浄機を吸引口ｄと排気口ｎ及び吹出口ｃとの間に位置させて設けてなるもので、排気口ｎからの清浄化エアー排気量を少なくとも他方の空間からの外部巻込エアー量Ｑよりも大となるように設定し、パネルｍ及びエアーカーテンｇにより室内を区分けした吸引口ｄ側の喫煙空間ｉを負圧状態にし、紫煙を吸引口ｄから直接吸引し清浄化して排気口ｎから非喫煙空間ｏに出し、直接吸引できなかった紫煙も負圧の喫煙空間ｉから出ないようにしたものである。
【０００６】
【発明が解決しようとする課題】
しかしながら、上述の図１４に示す例では、室内の一角をつい立てａにて仕切って、直ぐにその場所を喫煙コーナーや喫茶室にすることは出来ても、簡易的に作りずらく、喫煙者と言えども他人の紫煙は出来れば避けたいという願望を満たすことは出来ない。
【０００７】
また、図１５の喫煙ユニットは、大がかりなものであるから、容易に移動出来ず、簡易的に喫煙コーナーを室内の一角に作るというようなことは不可能であり、予め大きさが決まっているから、広いスペースを臨時の喫煙コーナーにするということも出来ない。また、天井部ｊを支持する支柱ｋが必要となり、更に、天井に吊るすようなタイプにしても、一部空間ｉ内を一時的に負圧状態にすることが出来ても、中央部にある吸引口ｄから吸い込んだエアーは、その全量を再び吹出口ｃからのエアーカーテンｇとするから、結局は喫煙空間ｉ内を恒常的に負圧状態にすることが出来ない。従って、室内の他の空間に紫煙が流出してしまい良好な喫煙空間ｉとなりずらい。喫煙者と言えども他人の紫煙は出来れば避けたいという願望も満たすことが出来ない。
【０００８】
更に、図１６に示すような気流制御型分煙機ａ２は、室内の一角を容易に喫煙空間ｉに出来、エアーカーテンｇの働きにより紫煙をその喫煙空間ｉ内から流出させず、清浄化してから非喫煙空間に戻し循環させ、喫煙空間ｉ内では紫煙を直ちに吸引して、他の喫煙者等に紫煙がかからないようにして、喫煙者と言えども他人の紫煙は出来れば避けたいという願望を満たし都合がよい。しかし、均質なエアーカーテンｇを得るために、箱体ｌに大きな空気溜めを必要とし、そのために箱体ｌが大きくなり、立ちテーブルタイプとなって、座りテーブルタイプとするのが難しい。更に、大きな箱体ｌゆえに喫煙空間ｉ内自体のスペースを狭めたり、室内の一角を喫煙空間ｉにする際の制約条件となり、自由なレイアウトを妨げる結果となっている。
【０００９】
そこで、本発明は、上記事情に鑑みてなされたもので、室内の一角を容易に種々の形態の喫煙所に変身させることが出来、しかも紫煙をその喫煙所内から流出させず、清浄化してから室内に戻し循環させ、喫煙所内では紫煙を直ちに吸引して、他の喫煙者等に紫煙がかからないように出来る喫煙所簡易創設用分煙機を提供することを課題とする。
【００１０】
【課題を解決するための手段】
上記課題を解決するため、請求項１記載の発明は、偏平な箱体の一方の広側面に吸引口を設けると共に立ちテーブル板用支持部及び座りテーブル板用支持部を設け、他方の広側面の両側にパネル板を設けると共に両パネル板の間に排気口を設けて、前記偏平な箱体の両狭側面及び上面に、室内を吸引口側空間と排気口側空間とに区分けするエアーカーテンを形成する吹出口を設け、前記偏平な箱体内に送風機及び空気清浄機を前記吸引口と前記排気口及び前記吹出口との間に位置させて設けてなり、前記排気口からの清浄化エアー排気量を少なくとも前記吸引口側空間外からの外部巻込エアー量よりも大に設定し、前記吸引口側空間内を負圧状態にすると共に喫煙所としたことを特徴とする。したがって、この特徴によれば、室内の条件により、立ちテーブル板、座りテーブル板及びテーブル板無しからーを選択可能とし、室内の一角に喫煙所簡易創設用分煙機を設置して、エアーカーテン、偏平な箱体及び両パネル板により、室内を吸引口側空間と排気口側空間とに区分けしてから、送風機を作動させると、吸引口側空間内にある偏平な箱体周辺の紫煙を直ちに吸引口から吸い込み、空気清浄機により清浄化エアーにしその一部を排気口から排気口側空間に排気し、この清浄化エアー排出量を吸引口側空間外からの外部巻込エアー量よりも多く排気口より排出しているから、吸引口側空間内を負圧状態に保持する。そして、清浄化エアーの残りを吹出口から吹き出しエアーカーテンとする。一方、直ちに吸引口から吸い込まれなかった紫煙も、吸引口側空間内が負圧状態にされているから、排気口側空間に流れず最終的に吸引口から吸い込まれ、空気清浄機により清浄化エアーにされて、排気口から排気口側空間に排出され、室内の一角の吸引口側空間が種々の形態の喫煙所とされる。
【００１１】
請求項２記載の発明は、前記偏平な箱体の立ちテーブル板用支持部及び座りテーブル板用支持部に立ちテーブル及び座りテーブルを選択的に設けて、立ちテーブル設置の喫煙所及び座りテーブル設置の喫煙所のいずれにもできるようにしたことを特徴とする。したがって、この特徴によれば、立ちテーブル及び座りテーブルを代えるだけで、立ちテーブルを設置した喫煙所及び座りテーブルを設置した喫煙所のいずれかを選択できる。
【００１２】
請求項３記載の発明は、前記パネル板は前記偏平な箱体から取り外し自在であることを特徴とする。したがって、この特徴によれば、室内の条件により、偏平な箱体からパネル板を外して設置する。
【００１３】
請求項４記載の発明は、前記パネル板は少なくともその一部が透明であることを特徴とする。したがって、この特徴によれば、喫煙所内外の仕切り性を確保すると共に、喫煙所内の閉鎖感を緩和する。
【００１４】
請求項５記載の発明は、前記送風機及び前記空気清浄機の下流側の前記偏平な箱体内に空気分配室を設け、該空気分配室に前記排気口及び前記吹出口を位置させて、前記空気分配室からの清浄化エアーの分配は予め定めた前記排気口及び前記吹出口の開口面積比にて行うことを特徴とする。したがって、この特徴によれば、空気分配室に一旦入った清浄化エアーは、予め定めた排気口及び吹出口の開口面積比にて排気口及び吹出口から出て、吸引口側空間内を負圧状態にすると共にエアーカーテンを形成する。
【００１５】
請求項６記載の発明は、前記偏平な箱体の上面の前記吹出口に、エアーカーテンのリード板を設けたことを特徴とする。したがって、この特徴によれば、喫煙者はリード板により上面の吹出口を手や肘で塞ぐ行為ができず、更に、上面の吹出口からのエアーカーテンが安定し、かつリード板自体及び安定したエアーカーテンにより吸引口側空間と排気口側空間とを仕切るから、その分仕切りが確実となり、吸引口側空間外からの外部巻込エアー量も減り、吸引口側空間内の負圧状態が安定し、紫煙が吸引口側空間外に漏れることが少なくなる。
【００１６】
請求項７記載の発明は、前記リード板は少なくともその一部が透明であることを特徴とする。したがって、この特徴によれば、喫煙所内外の仕切り性を確保すると共に、喫煙所内の閉鎖感を緩和する。
【００１７】
【発明の実施の形態】
以下、本発明を図１〜１３に示す実施の形態に基づいて詳述する。
図１は本発明の実施の形態である喫煙所簡易創設用分煙機を示す斜視図、図２はこの喫煙所簡易創設用分煙機の側方から見た縦断面図、図３はこの喫煙所簡易創設用分煙機の平面図、図４は喫煙所簡易創設用分煙機の正面図、図５は喫煙所簡易創設用分煙機の背面図である。図面において、１は座りテーブル設置の喫煙所簡易創設用分煙機を示し、この喫煙所簡易創設用分煙機機１は、偏平な箱体２の一方の広側面２ａに吸引口３を設けると共に立ちテーブル板用支持部４及び座りテーブル板用支持部５を設け、この座りテーブル板用支持部５にて座りテーブル６を支持し、他方の広側面２ｂの両側にパネル板７、７を設けると共に両パネル板７、７の間に排気口８を設けて、偏平な箱体２の両狭側面２ｃ、２ｃ及び上面２ｄに、パネル板７、７と協同して室内Ａを吸引口側空間９と排気口側空間１０とに区分けするエアーカーテン１１を形成する吹出口１２を設け、偏平な箱体２内に送風機１３及び空気清浄機１４を吸引口３と排気口８及び吹出口１２との間に位置させて設けてなり、排気口８からの清浄化エアー排気量を少なくとも吸引口側空間９外からの外部巻込エアー量Ｑよりも大に設定し、吸引口側空間９内を負圧状態にすると共に喫煙所１５とし、排気口側空間１０を非喫煙空間１６とするものである。
【００１８】
前記偏平な箱体２には、その下面にキャスター２０が設けられ、前記座りテーブル６にもキャスター２１及びアジャスター２２が設けられ自在に移動出来るようになっている。すなわち、座りテーブル６は、テーブル板２３の一端にキャスター２１及びアジャスター２２付の座り脚２４を着脱自在に取り付けてなり、前記座りテーブル板用支持部５にテーブル板２３の他端を嵌め固定すれば、上述の座りテーブル６設置の喫煙所簡易創設用分煙機１となり、テーブル板２３上に灰皿を置き、その回りに椅子（共に不図示）などを配置することで、容易に室内Ａの吸引口側空間９を座りテーブル６設置の喫煙所１５にすることができる。なお、座り脚２４にはキャスター２１及びアジャスター２２が設けられているが、その理由は、移動の際にアジャスター２２の作用を排除し、キャスター２０、２１にて移動し、設置の際にはアジャスター２２の作用を利用して、キャスター２０、２１の作用を妨害して移動しづらくするためである。なお、図１、２中、２５は立ちテーブル板用支持部４の凹みを無くすための埋め板であり、図１中、２６は操作パネルであり、２７は人感知センサあるいは煙感知センサなどのセンサである。
【００１９】
また、偏平な箱体２の広側面２ｂの両側には、前記パネル板７、７が着脱自在に取り付けられ、これらのパネル板７、７は、両狭側面２ｃ、２ｃにある後述の吹出口１２ａ、１２ａから吹き出され形成されたエアーカーテン１１が、両パネル板７、７に沿って流れ方向性が付与され安定化すると共に、室内Ａの吸引口側空間９を囲う働きをするものである。なお、両パネル板７、７が着脱自在とした理由は、室内Ａの設置条件により、一方ないし両方のパネル板７を外さなければならないことが、あるからである。また、パネル板７、７は実施形態では若干湾曲しているがこれに限定されない、しかし、湾曲しているとそれに連れてエアーカーテン１１も湾曲し、これによりエアーカーテン１１を破ろうとする紫煙を、なお一層喫煙所１５側に誘引して非喫煙空間１６に出さないようにすることができる。
【００２０】
前記吸引口３は、前記立ちテーブル板用支持部４により、上部吸引口３ａと下部吸引口３ｂとに分断されるが、双方共に前記座りテーブル６の場合に上方に位置し、いずれも小円孔の集団にて構成されて、前記室内Ａの前記吸引口側空間９内の煙草の紫煙をエアーと共に吸引するためのものである。
【００２１】
前記偏平な箱体２内は、垂直仕切り板３０により吸引口３側の吸引清浄処理室３１と排気口８側の空気分配室３２とに分割され、これら両室３１、３２は連通口３３によりつながっている。吸引清浄処理室３１は吸引口３からエアーと共に紫煙を吸引し清浄化するものであり、空気分配室３２は清浄化エアーを排気口８と吹出口１２とに分けるものである。そして、吸引清浄処理室３１の上部には上部吸引口３ａ及び下部吸引口３ｂが位置し、この間に立ちテーブル板用支持部４が位置して、更に下部吸引口３ｂの下に前記座りテーブル板用支持部５が位置している。吸引清浄処理室３１の下部には前記送風機１３及び前記空気清浄機１４を収容しているユニット３４が内蔵されている。空気分配室３２には、その下部に前記排気口８が位置し、その上面及び側面の上部から下部にかけてスリット状の吹出口１２が位置している。
【００２２】
ユニット３４内は仕切り板３５により分割され、上部に空気清浄機１４が、下部に送風機１３が配置されている。この空気清浄機１４は、ある一定の性能をクリアーするものであれば特に限定がないが、この実施形態では入口３６の下面に取り付けられ、汚染エアー中の比較的大きな粒子を除去するプレフィルター３７と、プレフィルター３７通過後の微粒子を除去する電気集塵機３８と、仕切り板３５の連通口３９の上面に取り付けられ、臭気成分を除去する脱臭フィルター４０との３部構成となっている。なお、電気集塵機３８の代わりに、脱臭機能を併せ持つ高性能なメカニカルフィルターを用いてもよい。なお、ユニット３４内の下部の送風機１３は、必要な容量及び圧力の条件が満たせば特に限定がない。
【００２３】
前記排気口８は、前記パネル板７、７の間にあり、小円孔の集団にて構成され、吸引口３により、室内Ａの喫煙所１５でもある吸引口側空間９内の煙草の紫煙を、エアーと共に偏平な箱体２内に吸引し、空気清浄機１４による清浄化エアーの一部を、非喫煙空間１６でもある排気口側空間１０側に排気するためのものである。一方、吹出口１２は、偏平な箱体２の両狭側面２ｃ、２ｃに設けられた側面吹出口１２ａ、１２ａと、上面２ｄに設けられた上面吹出口１２ｂとがあり、それぞれスリット状になって、上記した清浄化エアーの残部を吹き出し、エアーカーテン１１を形成するためのものである。そして、排気口８からの清浄化エアーの排気量は、吸引口側空間９外からの外部巻込エアー量Ｑよりも多く設定する必要がある。加えて、側面吹出口１２ａ、１２ａ、上面吹出口１２ｂからの清浄化エアーの吹き出しは、吸引口側空間９内の煙草の紫煙が吸引口側空間９外に出ないような風速及び風量を保持できるように設定する必要がある。すなわち、これら両設定は、排気口８及び吹出口１２の開口面積比を予め決めることにより行う。これらの開口面積比は、まず単純に計算により決め、その計算値による開口面積比にて実験を行い、その実験値により微調整をすることで容易に決めることができる。また、開口面積を決めた後でも、排気口８の小円孔の集団の一部を塞ぐことで、排気量を調整し負圧を変えることも可能である。
【００２４】
したがって、ユニット３４内の空気清浄機１４による清浄化エアーは出口４１から出て連通口３３から空気分配室３２に一旦入り、ここから予め定めた排気口８及び吹出口１２の開口面積比にて、上記の外部巻込エアー量Ｑよりも多く設定した清浄化エアーの一部が排気口８から出て、吸引口側空間９内を負圧状態にする。そして、清浄化エアーの残部が吹出口１２から出てエアーカーテン１１を形成して、負圧状態の吸引口側空間９と排気口側空間１０とに気流制御的に区分けすることができ、負圧状態の吸引口側空間９を喫煙所１５とし、排気口側空間１０を非喫煙空間１６とすることができる。
【００２５】
前記偏平な箱体２の前記側面吹出口１２ａ、１２ａはパネル板７、７があるから、これにガイドされ室内Ａを吸引口側空間９と排気口側空間１０とに区分けする方向性のある安定したエアーカーテン１１を形成する。同様に、前記上面吹出口１２ｂにも、パネル板７、７と同様の作用をするリード板４２を設けても良く、設けてあるとガイドされ方向性のある安定したエアーカーテン１１を形成し、かつ喫煙者が上面吹出口１２ｂに手や肘を置いて塞がないようにすることができる。更に、このリード板４２が透明であると、見通しを良くして閉鎖感を無くすことができて都合が良い。なお、リード板４２の先端部分を吸引口３側に湾曲させているのは、エアーカーテン１１が吸引口側空間９側に湾曲して、その流れにより紫煙を吸引口側空間９側に誘引出来、更に、喫煙所１５としてさほど必要のない天井に近い空間を削減出来て、都合が良いからである。
また、リード板４２を設けないで、図６に示すように、前記空気分配室３２内にスリット状の上面吹出口１２ｂに沿いスペースを開けた状態で方向設定部材４３を設けて、上面吹出口１２ｂからのエアーカーテン１１の吹き出し角度を変えるようにしても良い。すなわち、空気分配室３２の壁面に、断面形状が台形ないし三角形の方向設定部材４３を、上面吹出口１２ｂとの間にスペースを開けて設けてあると、空気分配室３２内を通り上面吹出口１２ｂを抜けるエアーは、方向設定部材４３に一旦当たりこれを回避して上面吹出口１２ｂより吹き出ようとするから、上面吹出口１２ｂと方向設定部材４３との間に直ちに負圧域４４が形成されると想定でき、この負圧域４４によりエアーは引っ張られてエアーカーテン１１の吹き出し角度を変えることができるものと思われる。なお、上面吹出口１２ｂと方向設定部材４３との間の距離Ｔ及び方向設定部材４３の高さＨを変えることにより、エアーカーテン１１の吹き出し角度を変えることができる。なお、図７に示すように、空気分配室３２の壁面に方向設定部材４３を図６の場合と逆に設けると、エアーカーテン１１の吹き出し角度も逆になる。
【００２６】
次に、上記構成になる喫煙所簡易創設用分煙機１を使用して、室内Ａの一角を喫煙所１５と非喫煙空間１６とに区分する方法について述べる。
図８は喫煙所簡易創設用分煙機１を使用した室内Ａの一角を喫煙所１５と非喫煙空間１６とに区分する最も簡単な方法を示すもので、この室内Ａの一角は、直角に交わる壁５０、５１、５２で囲まれているから、喫煙所簡易創設用分煙機１をそのパネル板７、７で仕切るように設置し、長方形の喫煙所１５を創設する。この際、壁５０、５１、５２側に吸引口３を向け、壁５０、５１、５２の無い方に排気口８を向けるように、喫煙所簡易創設用分煙機１を設置する。また、図９は喫煙所簡易創設用分煙機１を直角に交わる壁５０、５１に対して４５度斜めに設置し、直角三角形の喫煙所１５を創設し、図１０は喫煙所簡易創設用分煙機１を直角に交わる壁５０、５１に対して２台Ｌ字状に設置し、矩形の喫煙空間１５を創設するものである。
【００２７】
そして、喫煙所簡易創設用分煙機１の送風機１３を作動させると、吹出口１２からエアーが吹き出て、エアーカーテン１１を形成してそれを境に室内Ａを喫煙所１５と非喫煙空間１６とに区分する。喫煙所１５内の喫煙者から出た煙草の紫煙は、他の喫煙者に影響を与えないで直ちに捕捉されて、エアーと共に上部吸引口３ａ、下部吸引口３ｂへ吸引されて、箱体２の吸引清浄処理室３１内に入り、更に入口３６からユニット３４内に入り、空気清浄機１４により清浄化され、清浄化エアーとなり出口４１からユニット３４外に出て、吸引清浄処理室３１から連通口３３を通して空気分配室３２に一旦入る。この空気分配室３２から清浄化エアーの一部が上記の開口面積比にて排気口８から出て、吸引口側空間９内を負圧状態にする。そして、清浄化エアーの残部が吹出口１２から吹き出て清浄化エアーによるエアーカーテン１０を形成して、負圧状態の吸引口側空間９と排気口側空間１０とに気流制御的に区分けして、加えて偏平な箱体２自体、パネル板７、７自体、更にリード板４２自体により、上述のとおり負圧状態の吸引口側空間９を喫煙所１５とし、排気口側空間１０を非喫煙空間１６とする。
【００２８】
なお、吹出口１２の前記側面吹出口１２ａ、１２ａには湾曲したパネル板７、７があるから、これにガイドされ方向性のある安定したエアーカーテン１１を形成し、湾曲したエアーカーテン１１によりこれを破ろうとする紫煙を喫煙所１５側になお一層強く誘引して非喫煙空間１６に出さない。同様に、前記上面吹出口１２ｂにリード板４２がある場合もガイドされ、方向性のある安定したエアーカーテン１１を形成し、かつリード板４２の先端が湾曲していれば、湾曲したエアーカーテン１１によりこれを破ろうとする紫煙を喫煙所１５側になお一層強く誘引して非喫煙空間１６に出さない。また、リード板４２の代わりに方向設定部材４３があれば、方向性のある安定したエアーカーテン１１を形成することができる。
【００２９】
一方、捕捉されなかった紫煙は、喫煙所１５内を漂うが、排気口８からの排出エアー量が、喫煙所１５外からのエアーカーテン１１による外部巻込エアー量Ｑよりも大に設定してあるから、喫煙所１５内が負圧状態となって、喫煙所１５内を漂う紫煙は非喫煙空間１６に出ることなく、最終的に、上述のように吸引口７へエアーと共に吸引されて、同様にして、清浄化され清浄化エアーとして、非喫煙空間１６に排出されるか、あるいは再びエアーカーテン１１となる。
【００３０】
図１１は本発明の他の実施形態を示す喫煙所簡易創設用分煙機１ａであり、この喫煙所簡易創設用分煙機１ａと図１〜１０の実施形態との相違点は、座りテーブル６の代わりに、上部吸引口３ａと下部吸引口３ｂとの間にある立ちテーブル板用支持部４にて立ちテーブル６ａを支持している点にある。すなわち、立ちテーブル６ａは、テーブル板２３の一端に立ち脚２４ａを着脱自在に取り付けてなり、立ちテーブル板用支持部４にテーブル板２３の他端を嵌め固定すれば、立ちテーブル６ａ設置の喫煙所簡易創設用分煙機１ａとなり、テーブル板２３上に灰皿を置くことで、容易に室内Ａの一角を立ちテーブル６ａ設置の喫煙所１５にすることができる。なお、下部吸引口３ｂはテーブル板２３の下に位置することになり、また、立ち脚２４ａにも座り脚２４と同様にキャスター２１及びアジャスター２２が設けられている。その他の構成、作用は図１〜１０の実施形態と同様なので図面に符号を付してその説明を省略する。
【００３１】
図１２〜１５は本発明の他の実施形態を示す喫煙所簡易創設用分煙機１ｂであり、この喫煙所簡易創設用分煙機１ｂと図１〜１０の実施形態との相違点は、座りテーブル６及び立ちテーブル６ａが無く、立ちテーブル板用支持部４及び座りテーブル板用支持部５にはその凹みを無くすため埋め板２５が嵌められ、更に転倒防止のため、キャスター２０の代わりに安定脚２４ｂが偏平な箱体２の下面に装着されている点にある。そして、図１５に示すように、喫煙所簡易創設用分煙機１ｂを、室内Ａの一角の直角に交わる壁５０、５１に対して、２台Ｌ字状に設置し、更に喫煙所簡易創設用分煙機１ｂの周辺に自立型の灰皿を置けば、容易に矩形の喫煙所１５にすることができる。その他の構成、作用は図１〜１０の実施形態と同様なので図面に符号を付してその説明を省略する。
【００３２】
なお、喫煙所簡易創設用分煙機１、１ａ、１ｂのパネル７、偏平な箱体２の広側面２ａ、２ｂ、座りテーブル６及び立ちテーブル６ａなどに広告などの掲示物を設置できるようにすれば、設置場所によっては広告料を取れる可能性がある。
【００３３】
以上、本発明の実施形態を説明したが、具体的な構成はこれに限定されず、本発明の要旨を逸脱しない範囲内での変更、追加は本発明の範囲内である。
【００３４】
【発明の効果】
以上詳述したように、本発明の喫煙所簡易創設用分煙機によれば、以下のような効果がある。
【００３５】
請求項１の発明は、室内の条件により、立ちテーブル板、座りテーブル板及びテーブル板無しから一を選択可能とし、室内の一角に喫煙所簡易創設用分煙機を設置して、エアーカーテン、偏平な箱体及び両パネル板により、室内を吸引口側空間と排気口側空間とに区分けしてから、送風機を作動させると、吸引口側空間内にある偏平な箱体周辺の煙を直ちに吸引口から吸い込み、空気清浄機により清浄化エアーにしその一部を排気口から排気口側空間に排気し、この清浄化エアー排出量を吸引口側空間外からの外部巻込エアー量よりも多く排気口より排出しているから、吸引口側空間内を負圧状態に保持する。そして、清浄化エアーの残りを吹出口から吹き出しエアーカーテンとする。一方、直ちに吸引口から吸い込まれなかった紫煙も、吸引口側空間内が負圧状態にされているから、排気口側空間に流れず最終的に吸引口から吸い込まれ、空気清浄機により清浄化エアーにされて、排気口から排気口側空間に排出され、室内の一角の吸引口側空間が種々の形態の喫煙所とされる。したがって、室内の一角を喫煙所とする際、狭いスペースでよくレイアウトの自由度が高くなり、しかも容易に種々の形態の喫煙所に変身させることが出来、加えて、紫煙をその喫煙所内から流出させず、清浄化してから室内に戻し循環させ室内の空調機器に影響を与えず、喫煙所内では紫煙を直ちに吸引して、他の喫煙者等に紫煙がかからないように出来る効果がある。
【００３６】
請求項２の発明は、立ちテーブル及び座りテーブルを代えるだけで、立ちテーブルを設置した喫煙所及び座りテーブルを設置した喫煙所のいずれかを選択できる。したがって、上記効果をなお一層高めることが出来る。
【００３７】
請求項３の発明は、室内の条件により、偏平な箱体からパネル板を外して設置する。したがって、上記効果の内、室内の一角を喫煙所とする際のレイアウトの自由度がより一層高くなり、極めて容易に種々の形態の喫煙所に変身させることが出来る効果がある。
【００３８】
請求項４の発明は、喫煙所内外の仕切り性を確保すると共に、喫煙所内の閉鎖感を緩和する。したがって、仕切り性を確保しているのに、閉鎖感がないと言う相反する目的を達成する効果がある。
【００３９】
請求項５の発明は、空気分配室に一旦入った清浄化エアーは、予め定めた排気口及び吹出口の開口面積比にて排気口及び吹出口から出て、吸引口側空間内を負圧状態にすると共にエアーカーテンを形成する。したがって、清浄化エアーの気流の乱れを緩和するための大きな空気溜めが必要なくなり、より狭いスペースで吸引口側空間内を負圧状態にでき、気流の乱れのない均一化した清浄化エアーにより安定したエアーカーテンとすることが可能となる。
【００４０】
請求項６の発明は、喫煙者はリード板により上面の吹出口を手や肘で塞ぐ行為ができず、更に、上面の吹出口からのエアーカーテンが安定し、かつリード板自体及び安定したエアーカーテンにより吸引口側空間と排気口側空間とを仕切るから、その分仕切りが確実となり、吸引口側空間外からの外部巻込エアー量も減り、吸引口側空間内の負圧状態が安定し、紫煙が吸引口側空間外に漏れることが少なくなる。したがって、上記した吸引口側空間外への煙草の紫煙の漏れ防止が確実となり、既に述べた効果をより強く出来る。
【００４１】
請求項７の発明は、喫煙所内外の仕切り性を確保すると共に、喫煙所内の閉鎖感を緩和する。したがって、仕切り性を確保しているのに、閉鎖感がないと言う相反する目的を達成する効果がある。
【図面の簡単な説明】
【図１】本発明の実施の形態である喫煙所簡易創設用分煙機を示す斜視図。
【図２】図１の喫煙所簡易創設用分煙機の側方から見た縦断面図。
【図３】図１の喫煙所簡易創設用分煙機の平面図。
【図４】図１の喫煙所簡易創設用分煙機の正面図。
【図５】図１の喫煙所簡易創設用分煙機の背面図。
【図６】図１の喫煙所簡易創設用分煙機における上面吹出口回りの断面図。
【図７】図１の喫煙所簡易創設用分煙機における上面吹出口回りの断面図。
【図８】図１の喫煙所簡易創設用分煙機の設置状態を示す平面図。
【図９】図１の喫煙所簡易創設用分煙機の設置状態を示す平面図。
【図１０】図１の喫煙所簡易創設用分煙機の設置状態を示す平面図。
【図１１】本発明の他の実施の形態である喫煙所簡易創設用分煙機の斜視図。
【図１２】本発明の他の実施の形態である喫煙所簡易創設用分煙機の斜視図。
【図１３】図１２の喫煙所簡易創設用分煙機の平面図。
【図１４】図１２の喫煙所簡易創設用分煙機の側面図。
【図１５】図１２の喫煙所簡易創設用分煙機の設置状態を示す平面図。
【図１６】従来例を示す断面図。
【図１７】従来例を示す斜視図。
【図１８】従来例を示す側面図。
【符号の説明】
１、１ａ、１ｂ          喫煙所簡易創設用分煙機
２                      偏平な箱体
２ａ、２ｂ              広側面
２ｃ                    狭側面
２ｄ                    上面
３、ｄ                  吸引口
３ａ                    上部吸引口
３ｂ                    下部吸引口
４                      立ちテーブル板用支持部
５                      座りテーブル板用支持部
６                      座りテーブル
６ａ                    立ちテーブル
７                      パネル板
８、ｎ                  排気口
９                      吸引口側空間
１０                    排気口側空間
１１、ｇ                エアーカーテン
１２、ｃ                吹出口
１２ａ                  側面吹出口
１２ｂ                  上面吹出口
１３、ｂ                送風機
１４                    空気清浄機
１５                    喫煙所
１６、ｏ                非喫煙空間
２０、２１              キャスター
２２                    アジャスター
２３                    テーブル板
２４                    座り脚
２４ａ                  立ち脚
２４ｂ                  安定脚
２５                    埋め板
２６                    操作パネル
２７                    センサ
３０                    垂直仕切り板
３１                    吸引清浄処理室
３２                    空気分配室
３３、３９              連通口
３４                    ユニット
３５                    仕切り板
３６                    入口
３７                    プレフィルター
３８                    電気集塵機
４０                    脱臭フィルター
４１                    出口
４２                    リード板
４３                    方向設定部材
４４                    負圧域
５０、５１、５２        壁
Ａ                      室内
ａ                      つい立て
ａ１                    喫煙ユニット
ａ２                    気流制御型分煙機
ｅ                      天井
ｆ                      吸引ファン
Ｈ                      高さ
ｈ                      床
ｉ                      喫煙空間
ｊ                      天井部
ｋ                      支柱
ｌ                      箱体
ｍ                      パネル
Ｑ                      外部巻込エアー量
Ｔ                      距離
【図１】
2004211975.tif 000003
【図２】
2004211975.tif 000004
【図３】
2004211975.tif 000005
【図４】
2004211975.tif 000006
【図５】
2004211975.tif 000007
【図６】
2004211975.tif 000008
【図７】
2004211975.tif 000009
【図８】
2004211975.tif 000010
【図９】
2004211975.tif 000011
【図１０】
2004211975.tif 000012
【図１１】
2004211975.tif 000013
【図１２】
2004211975.tif 000014
【図１３】
2004211975.tif 000015
【図１４】
2004211975.tif 000016
【図１５】
2004211975.tif 000017
【図１６】
2004211975.tif 000018
【図１７】
2004211975.tif 000019
【図１８】
2004211975.tif 000020